(57)【要約】【課題】機能に富み、有効利用できる携帯端末用充電器および携帯端末用充電システムの提供。【解決手段】携帯端末１１が取り付けられ、その蓄電池１２に対し充電可能な携帯端末用充電器１３に、画像情報を表示可能な画像表示装置３７と、外部と無線通信を行う無線通信部３４，３５と、取り付けられた携帯端末１１を介して取り入れた情報および無線通信部３４，３５を介して取り入れた情報を画像表示装置３７に表示させる制御部４１とを有する。【選択図】　　　　図１
2004023394.tif 000002
【特許請求の範囲】
【請求項１】
携帯端末が取り付けられ、取り付けられた前記携帯端末の蓄電池に対し充電可能な携帯端末用充電器において、
画像情報を表示可能な画像表示装置と、
外部と無線通信を行う無線通信部と、
取り付けられた前記携帯端末を介して取り入れた情報および前記無線通信部を介して取り入れた情報を前記画像表示装置に表示させる制御部とを有することを特徴とする携帯端末用充電器。
【請求項２】
携帯端末と、
該携帯端末が取り付けられ、取り付けられた前記携帯端末の蓄電池に対し充電可能な携帯端末用充電器とを有する携帯端末用充電システムにおいて、
前記携帯端末用充電器は、
画像情報を表示可能な画像表示装置と、
外部と無線通信を行う無線通信部と、
取り付けられた前記携帯端末を介して取り入れた情報および前記無線通信部を介して取り入れた情報を前記画像表示装置に表示させる制御部とを有することを特徴とする携帯端末用充電システム。
【発明の詳細な説明】
【０００１】
【発明の属する技術分野】
本発明は、携帯端末の蓄電池に充電を行う携帯端末用充電器および携帯端末用充電システムに関する。
【０００２】
【従来の技術】
携帯端末の蓄電池に充電を行う携帯端末用充電器は、家庭用ＡＣ電源に接続されるとともに、取り付けられた携帯端末の蓄電池に対し充電を行うものであり、従来の携帯端末用充電器は単に充電機能のみを備えたものである。
【０００３】
【発明が解決しようとする課題】
しかしながら、上記のように充電機能のみを備えているのでは、せっかく家庭用ＡＣ電源に接続されているのに、有効利用されていないという問題があった。
【０００４】
したがって、本発明は機能に富み、有効利用できる携帯端末用充電器および携帯端末用充電システムの提供を目的とする。
【０００５】
【課題を解決するための手段】
上記目的を達成するため、本発明の携帯端末用充電器は、携帯端末が取り付けられ、取り付けられた前記携帯端末の蓄電池に対し充電可能なものであって、画像情報を表示可能な画像表示装置と、外部と無線通信を行う無線通信部と、取り付けられた前記携帯端末を介して取り入れた情報および前記無線通信部を介して取り入れた情報を前記画像表示装置に表示させる制御部とを有することを特徴としている。
【０００６】
また、本発明の携帯端末用充電システムは、携帯端末と、該携帯端末が取り付けられ、取り付けられた前記携帯端末の蓄電池に対し充電可能な携帯端末用充電器とを有するものであって、前記携帯端末用充電器は、画像情報を表示可能な画像表示装置と、外部と無線通信を行う無線通信部と、取り付けられた前記携帯端末を介して取り入れた情報および前記無線通信部を介して取り入れた情報を前記画像表示装置に表示させる制御部とを有することを特徴としている。
【０００７】
本発明によれば、携帯端末用充電器に取り付けられた携帯端末を介して取り入れた情報および携帯端末用充電器に設けられた無線通信部を介して取り入れた情報を携帯端末用充電器の制御部が携帯端末用充電器の画像表示装置に表示させる。したがって、従来の充電機能のみを有するものに比して機能に富んだものとなる。
【０００８】
【発明の実施の形態】
本発明の一実施形態の携帯端末用充電器および携帯端末用充電システムを図面を参照して以下に説明する。
携帯端末用充電システム１０は、携帯電話等の携帯端末１１と、この携帯端末１１が着脱自在に取り付けられ、取り付けられた携帯端末１１の蓄電池１２に対し充電可能な携帯端末用充電器１３とで構成されている。
【０００９】
携帯端末１１は、無線によって外部の基地局とデータを送受信するもので、アンテナ１６と、このアンテナ１６を介して外部と無線通信を行う通信データ送受信回路１７と、手動により操作入力が行われる操作部１８と、外部から音声が入力される音声入力部１９と、音声を外部に出力する音声出力部２０と、文字情報を含む画像情報を表示可能な液晶モニタ等からなる画像表示装置２１と、この画像表示装置２１を制御する画像コントローラ２２と、画像コントローラ２２の制御プログラム等が記憶されたＲＡＭ２３とを有している。また、携帯端末１１は、通信データ送受信回路１７、音声出力部２０および画像コントローラ２２等を制御するＣＰＵ２５と、通信データ送受信回路１７で取り入れた情報や操作部１８で操作入力された情報等がＣＰＵ２５によって記憶させられる読み書き可能な内蔵メモリ２６とを有している。携帯端末１１における各部は蓄電池１２の電力または携帯端末用充電器１３から供給される電力で駆動されるようになっている。
【００１０】
携帯端末用充電器１３は、携帯端末１１を着脱自在に保持するホルダ部３０と、家庭用ＡＣ電源３１に接続されて電力をホルダ部３０に取り付けられた携帯端末１１および携帯端末用充電器１３の各部に供給する電源回路３２と、ホルダ部３０に取り付けられた携帯端末１１の内蔵メモリ２６と情報のやり取りを行う制御インターフェース３３と、無線によって外部の基地局から送信される配信データを受信するための受信用アンテナ（無線通信部）３４と、受信用アンテナ３４を介して配信データを受信する配信データ受信回路（無線通信部）３５と、手動により操作入力が行われる操作部３６と、文字情報を含む画像情報を表示可能な液晶モニタ等からなる画像表示装置３７と、この画像表示装置３７を制御する画像コントローラ３８と、画像コントローラ３８の制御プログラム等が記憶されたＲＡＭ３９とを有している。
【００１１】
また、携帯端末用充電器１３は、画像コントローラ３８等を制御するＣＰＵ（制御部）４１と、配信データ受信回路３５で取り入れた情報や操作部３６で操作入力された情報等がＣＰＵ４１によって記憶させられる読み書き可能なメモリ４２とを有している。なお、携帯端末用充電器１３における各部は、電源回路３２を介して家庭用ＡＣ電源３１から供給される電力で駆動されるようになっている。
【００１２】
そして、使用者が帰宅時等に携帯端末１１を携帯端末用充電器１３のホルダ部３０に取り付けると、携帯端末用充電器１３のＣＰＵ４１は、この取り付けを検知して、携帯端末１１の内蔵メモリ２６に記憶されているデータを制御インターフェース３３を介して読み出す。このとき読み出すデータは、「通話料金」「登録画像データ」等である。
【００１３】
次に、ＣＰＵ４１は、操作部３６への操作入力による選択状況に応じて、携帯端末１１から読み出したデータを画像コントローラ３８を介して画像表示装置３７に表示させたり、受信用アンテナ３４および配信データ受信回路３５で受信した外部からの配信データを画像コントローラ３８を介して画像表示装置３７に表示させたりする。例えば、携帯端末１１に登録されている「登録画像データ」をスクリーンセーバのように順次画像表示装置３７に表示させたり、現在までの「通話料金」を画像表示装置３７に表示させたり、コマーシャルメッセージやニュース等の基地局からの配信データを画像表示装置３７に表示させたりする。具体的には、図２に示すように、画像表示装置３７に、第１の表示領域４４とその下側の第２の表示領域４５とを設け、第１の表示領域４４に、携帯端末１１に登録されている「登録画像データ」をスクリーンセーバのように順次表示させたり、あるいはコマーシャルメッセージやニュース等の配信データを表示させ、さらに、第２の表示領域４５において現在までの通話料金を例えば文字が右から左に流れるように表示させたりする。
【００１４】
以上に述べた実施形態によれば、携帯端末用充電器１３に取り付けられた携帯端末１１を介して取り入れた情報および携帯端末用充電器１３に設けられた受信用アンテナ３４および配信データ受信回路３５を介して取り入れた情報を携帯端末用充電器１３のＣＰＵ４１が携帯端末用充電器１３の画像表示装置３７に表示させる。したがって、従来の充電機能のみを有するものに比して機能に富み、有効利用できる携帯端末用充電器１３となる。
【００１５】
【発明の効果】
以上詳述したように、本発明によれば、携帯端末用充電器に取り付けられた携帯端末を介して取り入れた情報および携帯端末用充電器に設けられた無線通信部を介して取り入れた情報を携帯端末用充電器の制御部が携帯端末用充電器の画像表示装置に表示させる。したがって、携帯端末用充電器が、従来の充電機能のみを有するものに比して機能に富み、有効利用できる。
【図面の簡単な説明】
【図１】本発明の一実施形態の全体構成を示すブロック図である。
【図２】本発明の一実施形態の画像表示装置の表示の一例を示す正面図である。
【符号の説明】
１０…携帯端末用充電システム、１１…携帯端末、１２…蓄電池、１３…携帯端末用充電器、３４…受信用アンテナ（無線通信部）、３５…配信データ受信回路（無線通信部）、３７…画像表示装置、４１…ＣＰＵ（制御部）
【図１】
2004023394.tif 000003
【図２】
2004023394.tif 000004